(57)【要約】【課題】選択トランジスタの耐圧を低減すると共に画像の品質を向上させる。【解決手段】電気光学装置１は、各行に設けられたｍ本の電位線３０を備える。第１期間では、画像を表示するための電位を画素５０に書き込む。第２期間では、各行ごとに電位線３０の電位と同じ電位を画素に書き込む。第３期間では、各行ごとに電位信号の極性を反転させる。これにより、電位線３０毎に極性反転を実行できるので、全ての画素５０について電位線３０の電位が画素５０に書き込まれるのを待って、極性反転を実行する必要もない。【選択図】図１
2011013420.tif 000002
【特許請求の範囲】
【請求項１】
第１期間、第２期間および第３期間を一つの単位期間として駆動する電気光学装置であって、
複数の走査線と、
複数のデータ線と、
複数の電位線と、
前記走査線と前記データ線との交差に対応して設けられた複数の画素と、
駆動手段とを備え、
前記複数の画素の各々は、
画素電極と、前記画素電極と前記電位線との間の電界により光学特性が変化する電気光学物質と、前記画素電極と前記データ線との間に設けられ、前記走査線を介して供給される走査信号によってオン状態またはオフ状態の一方の状態となるように制御されるスイッチング素子とを有し、
前記駆動手段は、
ある単位期間において、
前記第１期間では、前記スイッチング素子をオン状態とする走査信号を前記複数の走査線に所定の順序で供給し、表示すべき画像に応じたデータ電位を前記データ線を介して前記画素の前記画素電極に書き込み、
前記第２期間では、前記スイッチング素子をオン状態とする走査信号を前記複数の走査線に所定の順序で供給し、１行ごとに前記画素電極に当該行の電位線の電位に近づけるリセット電位を書き込み、
前記第３期間では、前記複数の電位線を順次選択して、前記電位線に供給する電位を第１電位および第２電位のうち一方の電位から他方の電位に遷移させる、
ことを特徴とする電気光学装置。
【請求項２】
前記リセット電位は、前記電位線の電位と同じ電位であることを特徴とする請求項１に記載の電気光学装置。
【請求項３】
前記第１期間は、複数の個別期間に分割されており、
前記駆動手段は、前記複数の個別期間の各々において、前記スイッチング素子をオン状態とする走査信号を前記複数の走査線に所定の順序で供給し、前記データ電位として２値の電位から一方を選択して前記データ線を介して前記画素の前記画素電極に書き込む、
ことを特徴とする請求項１又は２に記載の電気光学装置。
【請求項４】
前記２値の電位は、前記第１電位及び前記第２電位であることを特徴とする請求項３に記載の電気光学装置。
【請求項５】
前記画素電極と前記電位線は同一の基板上に形成され、前記電界は横電界であることを特徴とする請求項１乃至４のうちいずれか１項に記載の電気光学装置。
【請求項６】
請求項１乃至５のうちいずれか１項に記載の電気光学装置を備えた電子機器。
【請求項７】
複数の走査線と、複数のデータ線と、複数の電位線と、前記走査線と前記データ線との交差に対応して設けられた複数の画素と備え、前記複数の画素の各々は、画素電極と、前記画素電極と前記電位線との間の電界により光学特性が変化する電気光学物質とを備えた電気光学装置を、第１期間及び第２期間を一つの単位期間として駆動する電気光学装置の駆動方法であって、
ある単位期間において、
前記第１期間では、前記複数の画素の各々において、前記画素電極に表示すべき階調に応じた電位を書き込んで保持し、
前記第２期間では、前記複数の走査線を順次選択して、１行ごとに前記画素電極に当該行の電位線の電位に近づけるリセット電位を書き込み、
前記第３期間では、前記複数の電位線を順次選択して、前記電位線に供給する電位を第１電位および第２電位のうち一方の電位から他方の電位に遷移させる、
ことを特徴とする電気光学装置の駆動方法。
【請求項８】
前記リセット電位は、前記電位線の電位と同じ電位であることを特徴とする請求項１に記載の電気光学装置の駆動方法。
【発明の詳細な説明】
【技術分野】
【０００１】
本発明は、液晶など電気光学物質を用いた電気光学装置、その駆動方法および電子機器に関する。
【背景技術】
【０００２】
電気エネルギーによって光学特性が変化する電気光学物質として、液晶が知られている。液晶は印加電圧に応じて透過率が変化する。この透過率の変化は、液晶分子の配向状態が印加電圧に応じて変化することによって得られる。また、液晶には、直流電圧を長時間印加すると、配向状態が元に戻りにくくなる性質がある。このため、液晶を表示装置に適用した液晶表示装置では、電気光学素子たる液晶素子に印加する電圧の極性を反転する交流駆動が採用される。
液晶表示装置は、複数の走査線と、複数のデータ線と、走査線とデータ線の交差に対応して設けられた複数の画素を備える。複数の画素は、画素電極、対向電極、およびこれらの間に挟持された液晶からなる液晶素子を有する。
液晶素子への印加電圧を反転する手法として、対向電極の電位（以下、対向電極電位と称する）を固定し、データ線を介して供給するデータ電位の極性を、対向電極電位を中心して反転させるものが知られている（特許文献１参照）。また、対向電極電位の極性をデータ電位の振幅の中心電位を基準として反転させると共に、データ電位についても極性を反転させる手法も知られている（特許文献２参照）。対向電極電位の極性反転を行う場合、対向電極電位を固定とする技術と比較してデータ電位の振幅を１／２にすることができる。
【先行技術文献】
【特許文献】
【０００３】
【特許文献１】特許３９１８５３６号公報
【特許文献２】特開２００５−２４１７４１号公報
【発明の概要】
【発明が解決しようとする課題】
【０００４】
しかしながら、特許文献２に記載の技術であっても、対向電極電位の極性を反転させると、液晶容量によって画素電極の電位が対向電極電位の変化分と同じだけ変化する。このため、データ線と画素電極との間に設けられたトランジスタにデータ電位の振幅の２倍の電圧が印加されることがある。このため、トランジスタの耐圧を高くする必要があるので、トランジスタのチャネル長を長くする必要がある。高精細化を進める上で、チャネル長を短くすることは欠かせず、それに伴う耐圧の低下が懸念されるといった問題がある。
本発明は、このような事情に鑑みてなされたものであり、高品質の画像を表示しつつ、画素に設けられたトランジスタ（スイッチング素子）の耐圧を低減すると共に信頼性を向上させることなどを解決課題とする。
【課題を解決するための手段】
【０００５】
上述した課題を解決するために、本発明に係る電気光学装置は、第１期間、第２期間および第３期間を一つの単位期間として駆動するものであって、複数の走査線と、複数のデータ線と、複数の電位線と、前記走査線と前記データ線との交差に対応して設けられた複数の画素と、駆動手段とを備え、前記複数の画素の各々は、画素電極と、前記画素電極と前記電位線との間の電界により光学特性が変化する電気光学物質と、前記画素電極と前記データ線との間に設けられ、前記走査線を介して供給される走査信号によってオン状態またはオフ状態の一方の状態となるように制御されるスイッチング素子とを有し、前記駆動手段は、ある単位期間において、前記第１期間では、前記スイッチング素子をオン状態とする走査信号を前記複数の走査線に所定の順序で供給し、表示すべき画像に応じたデータ電位を前記データ線を介して前記画素の前記画素電極に書き込み、前記第２期間では、前記スイッチング素子をオン状態とする走査信号を前記複数の走査線に所定の順序で供給し、１行ごとに前記画素電極に当該行の電位線の電位に近づけるリセット電位を書き込み、前記第３期間では、前記複数の電位線を順次選択して、前記電位線に供給する電位を第１電位および第２電位のうち一方の電位から他方の電位に遷移させる、ことを特徴とする。
【０００６】
この発明によれば、第２期間において画素電極の電位を電位線の電位に近づけるリセット電位を書き込み、その後に、複数の電位線を順次選択して、電位線の電位を極性反転させるので、スイッチング素子の耐圧を下げることができ、且つ、極性反転に要する時間を短縮することができる。なお、駆動方法は、通常のアナログ駆動であっってもよいし、サブフィールド駆動であってもよい。
【０００７】
ここで、前記リセット電位は、前記電位線の電位と同じ電位であることが好ましい。この場合には、スイッチグ素子の耐圧をより下げることができる。スイッチング素子は耐圧が下がるほど、小型化できるので、高精細な画像を表示させる場合、本発明は好適である。
【０００８】
また、上述した前記第１期間は、複数の個別期間に分割されており（例えば、実施形態のｓｆ１〜ｓｆ１１）、前記駆動手段は、前記複数の個別期間の各々において、前記スイッチング素子をオン状態とする走査信号を前記複数の走査線に所定の順序で供給し、前記データ電位として２値の電位から一方を選択して前記データ線を介して前記画素の前記画素電極に書き込むことを特徴とする。この発明によれば、いわゆるサブフィールド駆動によって、画像を表示することが可能である。
【０００９】
また、前記２値の電位は、前記第１電位及び前記第２電位であることが好ましい。この発明によれば、データ電位の振幅を最小にすることができる。データ線は寄生容量が付随する容量性の負荷であるところ、この発明によればデータ電位の振幅を最小にできるので、消費電力を低減できる。
【００１０】
また、上述した電気光学装置において、前記画素電極と前記電位線は同一の基板上に形成され、前記電界は横電界であることが好ましい。
次に、本発明に係る電子機器は、上述した電気光学装置を備えることを特徴とする。このような電子機器としては、例えば、プロジェクタ、ヘッドマウントディスプレイ、電子ビューファインダ、パーソナルコンピュータ、携帯電話機、及び情報携帯端末等が含まれる。
【００１１】
次に、本発明に係る電気光学装置の駆動方法は、複数の走査線と、複数のデータ線と、複数の電位線と、前記走査線と前記データ線との交差に対応して設けられた複数の画素と備え、前記複数の画素の各々は、画素電極と、前記画素電極と前記電位線との間の電界により光学特性が変化する電気光学物質とを備えた電気光学装置を、第１期間及び第２期間を一つの単位期間として駆動するものであって、ある単位期間において、前記第１期間では、前記複数の画素の各々において、前記画素電極に表示すべき階調に応じた電位を書き込んで保持し、前記第２期間では、前記複数の走査線を順次選択して、１行ごとに前記画素電極に当該行の電位線の電位に近づけるリセット電位を書き込み、前記第３期間では、前記複数の電位線を順次選択して、前記電位線に供給する電位を第１電位および第２電位のうち一方の電位から他方の電位に遷移させる、ことを特徴とする。この発明によれば、第２期間において画素電極の電位を電位線の電位に近づけるリセット電位を書き込み、その後に、複数の電位線を順次選択して、電位線の電位を極性反転させるので、スイッチング素子の耐圧を下げることができ、且つ、極性反転に要する時間を短縮することができる。さらに、前記リセット電位は、前記電位線の電位と同じ電位であることが好ましい。
【図面の簡単な説明】
【００１２】
【図１】本発明の実施形態に係る電気光学装置１の全体構成を示すブロック図である。
【図２】同装置の画素５０の構成を示す回路図である。
【図３】画像表示領域Ａの一部の構造を示す模式図である。
【図４】１フレームを構成するサブフィールドの構造を示す説明図である。
【図５】同電気光学装置１を適用した電子機器の一例たるパーソナルコンピュータの構成を示す斜視図である。
【図６】同電気光学装置１を適用した電子機器の一例たる携帯電話の構成を示す斜視図である。
【図７】同電気光学装置１を適用した電子機器の一例たる携帯情報端末の構成を示す斜視図である。
【発明を実施するための形態】
【００１３】
＜１．実施形態＞
本発明の実施形態に係る電気光学装置は、電気光学材料として液晶を用いる。電気光学装置１は、主要部として液晶パネル（電気光学パネルの一例）を備える。液晶パネルは、スイッチング素子として薄膜トランジスタ（Thin Film Transistor：以下、「ＴＦＴ」と称する）を形成した素子基板と対向基板とを互いに電極形成面を対向させて、かつ、一定の間隙を保って貼付し、この間隙に液晶が挟持されている。
【００１４】
図１は実施形態に係る電気光学装置１の全体構成を示すブロック図である。この電気光学装置１は、走査線駆動回路１００、データ線駆動回路２００、制御回路３００、電位線駆動回路４００、および画像表示領域Ａを備える。これらの構成のうち、液晶パネルは少なくとも画像表示領域Ａを備える。走査線駆動回路１００、データ線駆動回路２００、制御回路３００、および電位線駆動回路４００は、液晶パネルに取り込んでもよいし、あるいは、外付け回路としてもよい。
【００１５】
画像表示領域Ａには、ｎ（ｎは２以上の自然数）本の走査線１０と、ｍ（ｍは２以上の自然数）本のデータ線２０と、走査線１０およびデータ線２０の交差に対応してｎ×ｍ個の画素５０が設けられている。さらに、画像表示領域Ａには、ｎ本の電位線３０が設けられている。画素５０には、図示せぬバックライトからの光が入射され、透過率が調整される。これによって、光変調による階調表示が可能となる。
【００１６】
制御回路３００は、Ｘ転送開始パルスＤＸ、Ｘクロック信号ＸＣＫ、および画像データＤなどを生成してデータ線駆動回路２００に供給すると共に、Ｙ転送開始パルスＤＹおよびＹクロック信号ＹＣＫを生成して走査線駆動回路１００に供給し、くわえて、Ｃ転送開始パルスＤＹおよびＹクロック信号ＹＣＫを生成して電位線駆動回路４００に供給する。
走査線駆動回路１００は、シフトレジスタを備えており、Ｙ転送開始パルスＤＹをＹクロック信号ＹＣＫに従って転送し、ｎ本の走査線１０を選択する走査信号Ｙ１〜Ｙｎを生成する。データ線駆動回路２００は、点順次の画像データＤに基づいて、線順次のデータ電位ＤＡＴ１〜ＤＡＴｍを生成する。電位線駆動回路４００は、シフトレジスタを備えており、Ｃ転送開始パルスＤＣをＹクロック信号ＹＣＫに従って転送して得たシフトパルスを分周して電位信号Ｃ１〜Ｃｎを生成する。
【００１７】
図２に画素５０の電気的な構成を示す。画素５０は、液晶素子６０、データ線５０と液晶素子６０との間に設けられた選択トランジスタ５１、および保持容量５２を備える。液晶素子６０は、画素電極５３と個別電極５４と、これらの間の液晶ＬＣによって構成される。ここで、画素電極５３と個別電極５４とは、素子基板上に形成され、液晶ＬＣには横電界が印加される。より具体的には、個別電極５４は、電位線３０の一部として形成される。
【００１８】
このような構成において、走査線１０を介して供給される走査信号Ｙがアクティブになると、選択トランジスタ５１がオン状態となり、データ電位ＤＡＴが液晶素子６０に書き込まれる。そして、走査信号Ｙが非アクティブになると、選択トランジスタ５１がオフ状態となり、書き込まれたデータ電位ＤＡＴが保持されることになる。保持容量５２は画素電極５３と電位線３０との間に設けられている。実際の選択トランジスタ５１は、完全なオフ状態にならず一定のリーク電流が発生するが、保持容量５２を設けることによって、リーク電流の影響を低減してデータ電位ＤＡＴが保持特性を向上させることができる。
【００１９】
本実施形態において、液晶素子６０はノーマリーホワイトモードに設定されている。このため、液晶素子６０の透過率は、画素電極５３および個別電極５４とによる差電圧の実効値が小さくなるにつれて明るくなり、電圧無印加状態においてほぼ白色となる。ただし、本実施形態において、画素電極５３には、上記差電圧を飽和電圧以上とさせるオン電圧、または、しきい値電圧以下のオフ電圧のいずれか一方の電圧のみが印加される。
【００２０】
最も暗い状態の透過率を相対透過率０％とし、最も明るい状態の反射率を相対透過率１００％としたとき、液晶素子６０に印加される電圧のうち、相対透過率が１０％となる電圧を光学的しきい値電圧といい、相対透過率が９０％となる電圧を光学的飽和電圧という。電圧変調方式（アナログ駆動）において、液晶素子６０を中間調（灰色）とさせる場合には、液晶ＬＣに光学的飽和電圧以下の電圧が印加されるように設計される。このため、液晶ＬＣの透過率は、液晶ＬＣの印加電圧にほぼ比例した値となる。
【００２１】
これに対して、本実施形態では、液晶素子６０に印加する電圧としては、オン電圧とオフ電圧との２つのみを用いて階調表示が行われる。詳細には、本実施形態において階調表示は、１フレームを複数のサブフィールドに分割するとともに、液晶素子６０にオンまたはオフ電圧を印加する期間を、サブフィールドを単位として配分することによって実行される。電位線３０には、電位線駆動回路４００から電位信号Ｃが供給される。電位信号Ｃは、２値の信号であり、第１電位Ｖ１と第２電位Ｖ２とのうち一方の電位となる。すなわち、第１電位Ｖ１と第２電位Ｖ２との中心電位を基準として、電位信号Ｃの極性が反転する。
【００２２】
図１に示す電位線駆動回路４００は、電位信号Ｃ１、Ｃ２、…Ｃｎをｎ本の電位線３０に供給する。電位信号Ｃ１、Ｃ２、…Ｃｎは、１フレームごとに極性が反転する。また、電位信号Ｃ１、Ｃ２、…Ｃｎの極性反転のタイミングは、１Ｈずつずれている。
ここで、データ電位ＤＡＴは２値の電位となり、必ずしも２値の電位が、第１電位Ｖ１及び第２電位Ｖ２と一致する必要はないが、この例では、電源を簡素化する観点より、データ電位ＤＡＴは第１電位Ｖ１及び第２電位Ｖ２の一方となる。
【００２３】
次に、本実施形態で採用するサブフィールド駆動について、説明する。図３にサブフィールドの構成を示す。この図において、１フレームとは、１枚分の画像を形成するのに要する期間をいう。本実施形態において１フレームの期間は、３個のフィールド期間を有し、１つのフィールド期間が４個のサブフィールド期間に分割されている。この結果、１フレームは１２個のサブフィールド期間ｓｆ１、ｓｆ２、…ｓｆ１２から構成される。
このうち、サブフィールド期間ｓｆ１〜ｓｆ１１は、画像の表示に寄与する期間であり、サブフィールド期間ｓｆ１２は、液晶素子６０に印加する電圧の極性を反転するための期間である。より、具体的には、サブフィールド期間ｓｆ１２では、個別電極５４（電位線３０）の電位と同じ電位をデータ電位ＤＡＴ（リセット電位）として画素電極５３に順次書き込み、その後、電位信号Ｃ１、Ｃ２、…Ｃｎの極性を反転させる。
【００２４】
図４に、走査信号、画素電極の電位、及び電位信号の関係を示す。但し、「ｊ」は１≦ｊ≦ｎを満たす任意の自然数であり、「ｉ」は１≦ｉ≦ｍを満たす任意の自然数である。
この図に示すように、画素５０の駆動は、１フレームを第１期間Ｔ１、第２期間Ｔ２、及び第３期間Ｔ３に大別される。
第１期間Ｔ１はサブフィールド期間ｓｆ１〜ｓｆ１１であり表示すべき階調に応じて、各サブフィールド期間ｓｆ１〜ｓｆ１１ごとに第１電位Ｖ１又は第２電位Ｖ２がｊ行ｉ列の画素電極に書き込まれる。
【００２５】
本実施形態の液晶素子６０はノーマリーホワイトであるから、液晶素子６０に電圧が印加された場合、透過率が低下し黒くなり、液晶素子６０に電圧が印加されない場合、透過率が上昇し白くなる。この例では、ｊ行ｉ列の画素は第１のフレーム及び第２のフレームにおいて黒表示であり、ｊ＋１行ｉ列の画素は第１のフレーム及び第２のフレームにおいて白表示である。
【００２６】
次に、第２期間Ｔ２では、電位信号Ｃｊの極性反転に備えて、画素電極５３の電位を個別電極５４の電位に揃える駆動が行われる。即ち、期間Ｔ２において、電位信号Ｃｊは第１電位Ｖ１であり、個別電極５４の電位は第１電位Ｖ１となっている。このため、走査信号Ｙｊがハイレベルの期間では、データ電位ＤＡＴとして第１電位Ｖ１を供給し、ｊ行ｉ列の画素電極５３に第１電位Ｖ１を書き込む。これにより、画素電極５３の電位と個別電極５４の電位が一致する。
【００２７】
次に、第３期間Ｔ３では、電位信号Ｃｊの極性反転が実行される。この例では時刻ｔａにおいて、電位信号Ｃｊの電位が第１電位Ｖ１から第２電位Ｖ２に遷移し、極性が反転する。期間Ｔ３では、走査信号Ｙｊが非アクティブであるから、ｊ行ｉ列の画素電極５３はフローティングとなる。このため、個別電極５４の電位（電位信号Ｃｊ）が時刻ｔａにおいて第１電位Ｖ１から第２電位Ｖ２に遷移すると、ｊ行ｉ列の画素電極５３の電位も液晶容量によって押し上げられ、第１電位Ｖ１から第２電位Ｖ２に遷移する。
そして、第２のフレームが開始すると、ｊ行ｉ列の画素電極５３には表示すべき階調に応じた電位が書き込まれることになる。
【００２８】
このように本実施形態においては、画素電極５３と対になる電極を個別電極５４で構成し、電位線３０の電位を順次極性反転するように制御し、極性反転が終了した後、行ごとに、表示すべき階調に応じた電位を画素電極５３に順次書き込んだ。
例えば、全ての画素５０において、個別電極５４を共通の対向電極として対向基板に形成する構成では、対向電極の電気を極性反転する場合、全ての画素５０に対向電極の電位と同じ電位を書き込んだ後に、対向電極の電位を反転させる必要がある。
これに対して、本実施形態では、対向電極の替わりに、ｎ本の独立した電位線３０の電位を電位線駆動回路４００を用いて個別に制御したので、全ての画素５０について画素電極５３と個別電極５４の電位とが一致するまで待つ必要がない。このため、第２期間Ｔ２及び第３期間Ｔ３の時間を短くすることができ、１フレームに占める第１期間Ｔ１の割合を大きくすることができる。これによって、多くの階調を表示することが可能となる。
くわえて、本実施形態では、電位線３０の単位で極性反転を実行するので、対向電極を用いる場合と比較して１回の極性反転の負荷を軽減することができる。これは、対向電極は対向基板の一面に形成されるため大きな容量が付随するが、電位線３０は独立しており、容量が小さいからである。
【００２９】
＜２．変形例＞
本発明は、上述した実施形態に限定されるものではなく、例えば、以下に述べる各種の変形が可能である。
（１）上述した実施形態では、横電界を一例として説明したが、本発明はこれに限定されるものではなく、電位線を個別に駆動できればよい。例えば、ｎ本の電位線を画素電極と対向するように対向基板に形成して、上述した実施形態と同様にｎ本の電位線に極性反転を順次行う電位信号Ｃ１〜Ｃｎを供給してもよい。
【００３０】
（２）上述した実施形態では、点灯・消灯の２値のデータ電位ＤＡＴを書き込むサブフィールド駆動を一例として、説明したが、３値以上のデータ電位ＤＡＴを書き込むサブフィールド駆動であってもよい。要は、電位信号Ｃの極性反転に先立って、画素電極５３の電位を個別電極５４の電位と一致させるのであれば、どのような駆動であってあってもよい。
【００３１】
（３）上述した実施形態では、１フレームを複数のサブフィールド期間に分割し、２値のデータ電位を書き込むサブフィールド駆動について説明したが、本発明はこれに限定されるものではなく、１フレームに１回、階調に応じた電位を画素電極５３に書き込むアナログ駆動に適用することも可能である。すなわち、第１期間Ｔ１において、ｎ本の走査線を順次選択して表示すべき階調に応じた電位を各画素５０に書き込んで保持し、第２期間Ｔ２において、個別電極５４の電位と同じ電位を１行ごとに順次書き込み、第３期間Ｔ３において電位線３０の極性反転を順次実行してもよい。この場合にも、個別電極５４の電位は行単位で制御できるので、全ての画素５０について、個別電極５４の電位と画素電極５３の電位とが一致しなくても、極性反転を実行することができる。
【００３２】
（４）上述した実施形態および変形例において、第２期間Ｔ２では、画素電極５３の電位を個別電極５４の電位と一致させるようにしたが、必ずしも一致させる必要はなく、画素電極５３の電位と個別電極の電位との電位差が減少するように画素電極５３に書き込むリセット電位を設定してもよい。最も大きな効果が得られるのは、リセット電位が個別電極の電位（第１電位又は第２電位）と一致する場合であるが、電位差が減少すれば、減少分だけ選択トランジスタ５１の耐圧を下げることができる。
【００３３】
＜３．電子機器＞
次に、上述した実施形態および変形例に係る電気光学装置１を適用した電子機器について説明する。図５に、電気光学装置１を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１及びキーボード２００２が設けられている。
図６に、電気光学装置１を適用した携帯電話機の構成を示す。携帯電話機３０００は、複数の操作ボタン３００１及びスクロールボタン３００２、並びに表示ユニットとしての電気光学装置１を備える。スクロールボタン３００２を操作することによって、電気光学装置１に表示される画面がスクロールされる。
図７に、電気光学装置１を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１を備える。電源スイッチ４００２を操作すると、住所録やスケジュール帳といった各種の情報が電気光学装置１に表示される。
なお、電気光学装置１が適用される電子機器としては、図５〜図７に示すものの他、プロジェクタ、ヘッドマントディスプレイ、電子ビューファインダ、デジタルスチルカメラ、液晶テレビ、カーナビゲーション装置、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１が適用可能である。
【産業上の利用可能性】
【００３４】
本発明は電気光学装置、その駆動方法、及び電子機器に利用可能である。
【符号の説明】
【００３５】
１…電気光学装置、１０…走査線、２０…データ線、３０…電位線、１００…走査線駆動回路、２００…データ線駆動回路、３００…制御回路、４００…電位線駆動回路、５１…選択トランジスタ（スイッチング素子）、５０…画素、５３…画素電極、５４…対向電極。
【図１】
2011013420.tif 000003
【図２】
2011013420.tif 000004
【図３】
2011013420.tif 000005
【図４】
2011013420.tif 000006
【図５】
2011013420.tif 000007
【図６】
2011013420.tif 000008
【図７】
2011013420.tif 000009